【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
電圧検知手袋であって、
（ａ）手袋外殻と、
（ｂ）近位部と遠位部とを有し、前記近位部から延びる指を有する手袋ライナーであって、前記近位部及び前記遠位部はそれぞれ、対向する前面及び背面を有し、前記手袋ライナーは非導電材料で作製され、前記外殻内に配置されている、手袋ライナーと、
（ｃ）（ｉ）入力を有する電圧検知回路と、（ｉｉ）前記入力に接続されたアンテナと、を含む、電圧検知器と、
を含み、
（ｉ）前記アンテナは前記手袋ライナーと前記外殻との間に配置されており、前記近位部の前記背面に位置するコネクタ端部において開始し、その後、前記指の予め選択した１つのうちの前記端部に沿って延び、前記端部に巻き付き、その後、自由端部において終端する導体を含み、
（ｉｉ）少なくとも２．５ｍｍの厚さを有する緩衝材が前記手袋ライナーと前記アンテナとの間に介在し、
（ｉｉｉ）前記電圧検知器は、前記アンテナの近傍の所定予想周波数を有する交流電界の存在を感知し、前記入力における、予め選択した閾値限界を超える強さを有する電界を示す信号の検知に応答して警報を作動させるように構成されている、
電圧検知手袋。
【請求項２】
前記緩衝材は、難燃綿、ポリウレタン、パラアラミド、メタアラミド、シリコーン、又はゴムのうちの少なくとも１つを含む、請求項１に記載の電圧検知手袋。
【請求項３】
前記電圧検知回路は、（ｉ）更に、前記交流電界の前記強さを検知するように構成されており、（ｉｉ）前記強さを示すように動作可能な表示器を含む、請求項１に記載の電圧検知手袋。
【請求項４】
前記電圧検知回路はプログラマブルマイクロコントローラを含み、前記プログラマブルマイクロコントローラは、前記入力を提供し、前記入力における、予め選択した閾値限界を超える強さを有する電界を示す信号の検知に応答して前記警報を作動させるようにプログラムされている、請求項１に記載の電圧検知手袋。
【請求項５】
前記マイクロコントローラは、前記予想周波数の複数の周期に対応する間隔中に前記入力において示された電圧波形をデジタルで表す複数のデータポイントからなるデータセットを取得するようにプログラムされている、請求項４に記載の電圧検知手袋。
【手続補正２】
【補正対象書類名】明細書
【補正対象項目名】００４８
【補正方法】変更
【補正の内容】
【００４８】
本明細書において、特に別に述べられないか、又は使用に関連して反対に示されない限り、本明細書で列挙される量、サイズ、範囲、処方、パラメーター、並びに他の量及び特性は、特に用語「約」によって修飾される場合、厳密である必要はない、又は許容範囲、変換係数、四捨五入、測定誤差、及び同様のもの、並びに本発明に関連して、述べられた値に機能的及び／又は操作可能な均等性を有する、その外側の値の述べられた値内の内包を反映して、（必要に応じて）述べられたものに近似していても及び／又はそれより大きくても小さくてもよい。
次に、本発明の好ましい態様を示す。
１．電圧検知手袋であって、
（ａ）手袋外殻と、
（ｂ）近位部と遠位部とを有し、前記近位部から延びる指を有する手袋ライナーであって、前記近位部及び前記遠位部はそれぞれ、対向する前面及び背面を有し、前記手袋ライナーは非導電材料で作製され、前記外殻内に配置されている、手袋ライナーと、
（ｃ）（ｉ）入力を有する電圧検知回路と、（ｉｉ）前記入力に接続されたアンテナと、を含む、電圧検知器と、
を含み、
（ｉ）前記アンテナは前記手袋ライナーと前記外殻との間に配置されており、前記近位部の前記背面に位置するコネクタ端部において開始し、その後、前記指の予め選択した１つのうちの前記端部に沿って延び、前記端部に巻き付き、その後、自由端部において終端する導体を含み、
（ｉｉ）少なくとも２．５ｍｍの厚さを有する緩衝材が前記手袋ライナーと前記アンテナとの間に介在し、
（ｉｉｉ）前記電圧検知器は、前記アンテナの近傍の所定予想周波数を有する交流電界の存在を感知し、前記入力における、予め選択した閾値限界を超える強さを有する電界を示す信号の検知に応答して警報を作動させるように構成されている、
電圧検知手袋。
２．前記自由端部は、前記予め選択した指の前記前面上に位置する、上記１に記載の電圧検知手袋。
３．前記緩衝材は、難燃綿、ポリウレタン、パラアラミド、メタアラミド、シリコーン、又はゴムのうちの少なくとも１つを含む、上記１に記載の電圧検知手袋。
４．前記緩衝材は、多くとも５の比誘電率κ、及び少なくとも１×１０10Ω−ｍの電気抵抗率を有する、上記１に記載の電圧検知手袋。
５．前記緩衝材と前記手袋ライナーは一体である、上記１に記載の電圧検知手袋。
６．前記アンテナは金属箔を含む、上記１に記載の電圧検知手袋。
７．前記アンテナは金属糸を含む、上記１に記載の電圧検知手袋。
８．前記アンテナは、少なくとも５％の伸展伸縮性を示す、上記１に記載の電圧検知手袋。
９．前記アンテナは、前記アンテナのコネクタ端部において、可逆的に係合可能なコネクタを用いて前記電圧検知回路の前記入力に接続されている、上記１に記載の電圧検知手袋。
１０．前記アンテナは、複数の別々の位置において前記緩衝材に取り付けられている、上記１に記載の電圧検知手袋。
１１．前記外殻は、前記手袋ライナー及び前記緩衝材から取り外し可能である、上記１に記載の電圧検知手袋。
１２．前記電圧検知回路は、（ｉ）更に、前記交流電界の前記強さを検知するように構成されており、（ｉｉ）前記強さを示すように動作可能な表示器を含む、上記１に記載の電圧検知手袋。
１３．前記表示器は、検知された前記電界の強さが一連の予め選択した範囲のうちの１つの範囲内であることをそれぞれ示す異なる表示の離散した数を提供するように動作可能であり、前記範囲のそれぞれは、前記表示の１つと関連付けられる、上記１２に記載の電圧検知手袋。
１４．前記電圧検知回路は、前記アンテナからの前記入力において示された前記信号が予め選択した周波数範囲外の周波数を有する場合、前記警報を阻止するように構成されている、上記１に記載の電圧検知手袋。
１５．前記電圧検知回路はプログラマブルマイクロコントローラを含み、前記プログラマブルマイクロコントローラは、前記入力を提供し、前記入力における、予め選択した閾値限界を超える強さを有する電界を示す信号の検知に応答して前記警報を作動させるようにプログラムされている、上記１に記載の電圧検知手袋。
１６．前記マイクロコントローラは、前記予想周波数の複数の周期に対応する間隔中に前記入力において示された電圧波形をデジタルで表す複数のデータポイントからなるデータセットを取得するようにプログラムされている、上記１５に記載の電圧検知手袋。
１７．前記マイクロコントローラは、前記データセットによって示される前記信号の前記周波数を決定し、前記周波数が前記予め選択した周波数範囲外である場合、前記警報を阻止するようにプログラムされている、上記１６に記載の電圧検知手袋。
１８．前記マイクロコントローラは、前記データセット内の電圧の最大値及び最小値を決定し、前記最大値と前記最小値との間の差が予め選択した差よりも大きい場合、前記警報の作動を阻止するようにプログラムされている、上記１６に記載の電圧検知手袋。
１９．前記マイクロコントローラは、前記データセット内の前記電圧の平均値を決定し、前記平均値が、前記アンテナの近傍における、前記予め選択した閾値限界を超える強さを有する交流電界の存在を示す場合、前記警報を作動させるようにプログラムされている、上記１６に記載の電圧検知手袋。
２０．前記電圧検知回路は、異なる表示の離散した数を提供するように動作可能な表示器を含み、前記マイクロコントローラは、前記データセット内の前記電圧の前記平均値が一連の予め選択した範囲のうちの任意の１つの範囲内である場合、前記異なる表示の１つを作動させるようにプログラムされており、前記範囲のそれぞれは、前記表示の１つと関連付けられる、上記１９に記載の電圧検知手袋。